(57)【要約】【課題】扉部の厚みを薄くしても扉部内に設けられた操作部の構成部分である基板、表示部及びマイコン等の破損を防止でき、製品自体を小型化することができる加熱調理器を得る。【解決手段】内部に空間が形成された扉部３と、扉部３の下部に配置された操作部とを備えた加熱調理器１において、扉部３は、扉部３内に空気が流入する吸気口１３と、扉部３内から空気が流出する排気口１２とを備え、吸気口１３から扉部３内へ流入し、排気口１２から流出する扉部３内の空気流れによって操作部を冷却する。【選択図】図３
2008286470.tif 000002
【特許請求の範囲】
【請求項１】
内部に空間が形成された扉部と、
該扉部の下部に配置された操作部と、
を備えた加熱調理器において、
前記扉部は、
前記空間に空気が流入する吸気口と、
前記空間から空気が流出する排気口とを備え、
前記吸気口から前記空間へ流入し、前記排気口から流出する前記空間内の空気流れによって前記操作部を冷却することを特徴とする加熱調理器。
【請求項２】
前記排気口は、
前記扉部の正面上部側に設けられたことを特徴とする請求項１に記載の加熱調理器。
【請求項３】
前記排気口に、
前記空間内の空気流れを前記排気口に導くガイド部を設けたことを特徴とする請求項１又は請求項２に記載の加熱調理器。
【請求項４】
前記排気口の開口面積は、
前記吸気口の開口面積よりも大きいことを特徴とする請求項１〜請求項３のいずれかに記載の加熱調理器。
【請求項５】
前記空間に冷却ファンが設けられたことを特徴とする請求項１〜請求項４のいずれかに記載の加熱調理器。
【請求項６】
前記操作部のうち、前記扉部の内部に設けられた構成部分の上方に、
該構成部分への塵埃の付着を防止する上側カバーが設けられたことを特徴とする請求項１〜請求項５のいずれかに記載の加熱調理器。
【請求項７】
前記上側カバーの縁部は下側に突出していることを特徴とする請求項６に記載の加熱調理器。
【請求項８】
前記上側カバー上部に板部材を設け、
前記上側カバーと前記排気口との間に風路を形成したことを特徴とする請求項６又は請求項７に記載の加熱調理器。
【発明の詳細な説明】
【技術分野】
【０００１】
この発明は加熱調理器に関し、特に扉部に設けられた操作部の冷却に関するものである。
【背景技術】
【０００２】
従来の扉部に操作部が設けられた加熱調理器としては、例えば「扉手段３の下部で外郭部４と前部にある透視バリア５の間に割り込むように操作回路手段８を組み込んでいる。この操作回路手段８の中の化粧板３５の化粧表示手段３３に設けた膨らみのエンボス部５３の裏面に近接した操作ストローク伝達ピン３７に当接した操作スイッチ２９が操作回路基板ユニット２８に半田付けにて接続固定された構成となっている。また、加熱室２からの水蒸気の結露水が付着し、流れ易いガラス製の透視バリア５の下に操作回路手段８が配置されているため、操作回路手段８は水滴が多く付着する位置に固定している。なお、化粧板３５と収納箱３６の突き合わせ面の外周部にシール手段としてのシリコンパテ５０が、化粧板３５と収納箱３６の突き合わせ面の少なくともいずれか一方に設けたパテ溝５１の中に充填している。また、収納箱３６と蓋手段４０の間に挟まれたシール手段としてのシリコンゴムの環状パイプ４１が収納箱３６に設けた位置決め用の溝５２の中に見えている。さらに、タッピンビス４３のビス孔４４は環状パイプ４１のシール領域の外に位置しているため環状パイプ４１の位置決め用の溝５２の外に位置することになる。そして、このタッピンビス４３の座の直径より小さい輪状のシリコンゴムリング４５のシール手段がタッピンビス４３の締め付け固定に伴って、蓋手段４０とタッピンビス４３の座と輪状のシリコンゴムリング４５との隙間が無くなり、ビス孔４４への防水シールができる。なお、このタッピンビス４３の座の直径より小さい輪状のシリコンゴムリング４５の位置決め用に蓋手段４０に輪状のシリコンゴムリング４５の内径、外径に合致する溝を設けることにより、輪状のシリコンゴムリング４５と蓋手段４０との接触面が多くなり、ビス孔４４への防水シール効果は大きくなる。」（例えば特許文献１参照）というものが提案されている。
【０００３】
【特許文献１】特開２０００−１２２０９号公報（段落番号００４９、図１２）
【発明の開示】
【発明が解決しようとする課題】
【０００４】
加熱調理器において、デザイン性の向上や操作性の向上等を図るために、扉部に操作部を設けたものが多くなっている（例えば特許文献１参照）。加熱調理器の使用時、食品を加熱する加熱室は高温（例えば約３００℃）となるため、扉部内も高温となる。このため、扉部内に設けられた操作部の構成部分である基板、表示部及びマイコン等が熱によって破損することがある。また、食品を加熱した際に発生する水蒸気が扉部内に入り、水蒸気の結露水が基板、表示部及びマイコン等に付着して、これらが破損することがある。したがって、扉部に操作部を設けた加熱調理器においては、これら基板、表示部及びマイコン等が熱及び水蒸気によって破損すること防止するために、断熱材等で密封する構造としていた。
【０００５】
しかしながら、上記のような基板、表示部及びマイコン等を断熱材等で密封する構造では、扉部が厚くなり、加熱調理器が大型化するという問題点があった。また、一度、密封構造の中に水蒸気が入ってしまうと抜けなくり、基板、表示部及びマイコン等が破損してしまっていた。このため、密封構造の中に水蒸気が入らないようにシール手段を施すと部品点数が増加してしまい、さらに扉部の厚みが増して加熱調理器が大型化するという問題点があった。
【０００６】
この発明は上述のような課題を解決するためになされたものであり、扉部の厚みを薄くしても扉部内に設けられた操作部の構成部分である基板、表示部及びマイコン等の破損を防止でき、製品自体を小型化することができる加熱調理器を得ることである。
【課題を解決するための手段】
【０００７】
この発明に係る加熱調理器は、内部に空間が形成された扉部と、該扉部の下部に配置された操作部とを備えた加熱調理器において、前記扉部は、前記空間に空気が流入する吸気口と、前記空間から空気が流出する排気口とを備え、前記吸気口から前記空間へ流入し、前記排気口から流出する前記空間内の空気流れによって前記操作部を冷却するものである。
【発明の効果】
【０００８】
この発明に係る加熱調理器においては、内部に空間が形成された扉部に吸気口及び排気口を備えたので、吸気口から流入して排気口から流出する扉部の内部に形成された空間内の空気流れによって、扉部の内部に配置された基板、表示部及びマイコン等を冷却することができる。また、この空気流れによって、扉部内に入ってきた水蒸気を扉部外へ排出することができる。このため、扉部の内部に配置された基板、表示部及びマイコン等の破損を防止するために断熱構造等で密封する必要がなくなり、扉部を薄くすることができる。したがって、製品自体として小型化された加熱調理器を得ることができる。
【発明を実施するための最良の形態】
【０００９】
実施形態１．
図１は、この発明の実施形態１における加熱調理器１の正面図である。図２は、この加熱調理器１の側面断面模式図である。また、図３はこの加熱調理器１における扉部３の側面断面模式図である。本実施形態１における加熱調理器１は、本体２と扉部３から構成されている。本体２は正面が開口した略直方体の形状をしており、内部には被加熱物を収容する加熱室４が設けられている。この加熱室４は、本体２と同様に正面が開口した略直方体の形状をしており、上面、底面及び側面には加熱手段であるヒータ５が設けられている。また、底面には同じく加熱手段であるマグネトロン６が設けられている。
【００１０】
扉部３は、加熱調理器１の正面側に、本体２及び加熱室４の開口部を覆うように設けられている。この扉部３の底面と本体２の底面とは、例えばヒンジ（図示せず）により接続されており、扉部３は、本体２及び加熱室４の開口部を開閉自在となっている。なお、扉部３及び本体２を接続するヒンジの位置は、底面に限らず、上面または側面のいずれの位置であってもよい。扉部３は、引き戸のようなスライド式として本体２に取り付けられていてもよい。また、加熱調理器１がビルトイン型である場合には、扉３を引き出すような形式で本体２に取り付けてもよい。
【００１１】
扉部３は、扉部正面カバー１０、金属板５０、及び扉部裏面カバー６０により構成されている。扉部正面カバー１０は例えば樹脂製であり、裏面が開口した略直方体の形状をしている。この扉部正面カバー１０の正面上部側には、例えば樹脂製の取っ手１１が設けられている。この取っ手１１の裏側と対向する扉部正面カバー１０の位置（つまり扉部正面カバー１０の正面上部側）には、例えば開口形状が長穴形状である複数の開口が集合した排気口１２が形成されている。なお、排気口１２が形成されている範囲においては取っ手１１の裏側と扉部正面カバー１０との間には空間が形成されており、取っ手１１が排気口１２を塞がない構成となっている。また、扉部正面カバー１０の底面には、例えば開口形状が長穴形状である複数の開口が集合した吸気口１３が形成されている。本実施形態１においては、排気口１２の開口面積（長穴形状である複数の開口の合計開口面積）は、吸気口１３の開口面積（長穴形状である複数の開口の合計開口面積）よりも大きい構成となっている。なお、本実施形態１では、排気口１２及び吸気口１３は複数の長穴形状の開口の集合により形成されているが、開口形状を孔としてもよい。１つの開口部により排気口１２及び吸気口１３を形成してもよい。
【００１２】
また、排気口１２の上部には、扉部正面カバー１０の裏面側に横断面略Ｌ字形状のガイド１４が設けられている。このガイド１４は本発明におけるガイド部に相当し、扉部正面カバー１０の補強部材としての機能を有するとともに、扉部３内を流れる空気（扉部３内の空気流れの詳細については後述する）を排気口１２に導く機能を有している。なお、ガイド１４の形状は、扉部３内を流れる空気を排気口１２に導く機能を有していれば横断面略Ｌ字形状とする必要はない。任意の形状とすることが可能である。
【００１３】
扉部正面カバー１０の正面略中央部には、加熱室４の内部が視認できるように略長方形の開口部１５が形成されている。この開口部１５の周縁部には、扉部正面カバー１０の裏側に補強用のリブ１６が設けられている。このリブ１６は上部リブ１６ａ、側部リブ１６ｂ及び下部リブ１６ｃにより構成されている。これら上部リブ１６ａ、側部リブ１６ｂ及び下部リブ１６ｃはそれぞれ端部が連設されており、本体２側から見て、略長方形の形状を形成している。この下部リブ１６ｃは本発明の上側カバーに相当し、扉部正面カバー１０の補強部材として機能する一方、後述する基板３１の上側カバーとしての機能も有し、扉部３内に侵入した塵埃等が基板３１等に付着することを防止する。また、下部リブ１６ｃの縁部は下側に突出した形状となっており、この凸部１７は左右方向（図２における紙面直交方向）に連なって設けられている。この下部リブ１６ｃにより、さらに扉部３内に侵入した塵埃等が基板３１に付着することを防止することが可能となっている。
【００１４】
扉部正面カバー１０の開口部１５の下方には、例えば液晶画面等の表示部３２が視認できるように略長方形の開口部１８が形成されている。これら開口部１５及び開口部１８を覆うように、扉部正面カバー１０の正面には、略長方形の外側ガラス１９が設けられている。この外側ガラス１９は、下方が係止部２０に係止され、上方が例えばアルミ製である金属カバー２１と扉部正面カバー１０との間に挟まれることによって固定されている。また、扉部正面カバー１０の正面下方には、本発明の操作部の一部にあたる操作パネル２２が設けられている。この操作パネル２２には、調理モード選択キー２２ａ、時間・温度調整つまみ２２ｂ、スタートキー２２ｃ、及び取消キー２２ｄ等が配置されている。
【００１５】
扉部正面カバー１０の裏面には、下部リブ１６ｃの下方に本発明の操作部に相当する基板３１が設けられている。この基板３１は、本体２側から見て横方向に長い略長方形の形状をしており、表面（扉部正面カバー１０と対向する面）には調理モード選択キー２２ａ、時間・温度調整つまみ２２ｂ、スタートキー２２ｃ、及び取消キー２２ｄ等と対応する位置に、それぞれのキーが押されたときに開閉動作をする操作スイッチ（図示せず）が備えられている。また、基板３１にはマイコン（図示せず）が備えられており、操作パネル２２上の各種キー等及びこれらに対応した操作スイッチを介してユーザーからから与えられる指令に応じて、マイコンは加熱手段であるヒータ５及びマグネトロン６等を制御する。また、基板３１には開口部１８と対応する位置に表示部３２が備えられており、調理状況等を表示する。これら基板３１、操作スイッチ、マイコン及び表示部３２等が、本発明における扉部の内部に設けられた操作部の構成部分に相当する。また、基板３１の下方には、冷却用ファン３３が設けられている。
【００１６】
基板３１は、扉部正面カバー１０の裏面に一体成型され内部にネジ穴加工された複数の支柱（図示せず）にネジ固定されて扉部正面カバー１０に設けられている。つまり、基板３１は扉部正面カバー１０との間に空間が形成されて、扉部正面カバー１０の裏面に設けられている。この基板３１の裏面と対向する位置には、例えばアルミ製の放熱板３４が設けられている。放熱板３４は、本体２側から見て基板３１と略同形状の横方向に長い略長方形の形状をしており、扉部正面カバー１０の裏面に一体成型された複数の支柱（図示せず）に設けられている。この放熱板３４が設けられている支柱は、基板３１を貫通する構成となっており、放熱板３４は、基板３１と所定の空間を形成して設けられることとなる。なお、放熱板３４の基板３１と対向する面には、基板３１と放熱板３４が接触した際の短絡防止のために樹脂等の絶縁板を設けてもよい。
【００１７】
放熱板３４の裏面と対向する位置には、例えば樹脂製の基板カバー３５が設けられている。基板カバー３５は、本体２側から見て基板３１よりも横方向に若干長い略長方形の形状をしており、扉部正面カバー１０の裏面に一体成型され内部にネジ穴加工された複数の支柱（図示せず）にネジ固定されている。この基板カバー３５が設けられている支柱は、基板３１及び放熱板３４を貫通する構成となっている。この基板カバー３５の表面（放熱板３４と対向する面）には上下方向に連なるリブ３６が設けられている。したがって、基板カバー３５が扉部正面カバー１０の裏面に一体成型された支柱にネジ固定された状態では、基板カバー３５と放熱板３４との間には、リブ３６の高さ分の空間が形成させることとなる。また、基板カバー３５の側縁部は、基板３１及び放熱板３４の側部を覆うように扉部正面カバー１０側に略９０°折り曲げられた形状をしている。基板カバー３５が支柱にネジ固定された状態では、この折り曲げ部は扉部正面カバー１０の裏面に密着している。
【００１８】
また、基板カバー３５の裏面（本体２と対向する面）には、リブ３７が一体成型されている。このリブ３７は、上部リブ３７ａ、側部リブ３７ｂ及び下部リブ３７ｃにより構成されいる。これらリブ３７ａ，３７ｂ及び３７ｃはそれぞれ端部が連設されており、本体２側から見て、略長方形の形状を形成している。
【００１９】
基板カバー３５の裏面と対向する位置には、例えば金属製の基板カバー３８が設けられている。この基板カバー３８は、基板カバー３５と平行な基板カバー第一面３８ａ、基板カバー第一面３８ａの上端から略９０°本体２側に折り曲げられた基板カバー第二面３８ｂ（つまり基板カバー３５と略垂直な面）、基板カバー第二面３８ｂの本体２側端部から略９０°上側に折り曲げられた基板カバー第三面３８ｃ（つまり基板カバー３５と略平行な面）、及び基板カバー第三面３８ｃの上端から略９０°扉部正面カバー１０側に折り曲げられた基板カバー第四面３８ｄ（つまり基板カバー３５と略垂直な面）から構成されている。
【００２０】
基板カバー３８は、基板カバー第一面３８ａが扉部正面カバー１０の裏面に一体成型され内部にネジ穴加工された複数の支柱（図示せず）にネジ固定されている。基板カバー３８が設けられている支柱は基板３１及び放熱板３４を貫通する構成となっており、この支柱のネジ穴と整合する基板カバー３５の位置には抜き穴が形成されている。つまり、基板カバー３８は、支柱と基板カバー３８との間に基板カバー３５を挟み込むように固定されている。基板カバー３８が扉部正面カバー１０の裏面に一体成型された支柱にネジ固定された状態では、基板カバー第三面３８ｃが基板カバー３５に形成されたリブ３７の端部と密着した状態となる。つまり、基板カバー３５、リブ３７及び基板カバー第三面３８ｃに囲まれた空間が形成される。この空間は、高温となっている加熱室４内の熱が基板３１に伝達するのを防止する空気断熱層の機能を有している。
【００２１】
金属板５０は、略直方体の形状をしている。金属板５０の外周部にはチョーク構造５１が全周にわたり設けられており、このチョーク構造５１の外周部の形状は、扉部正面カバー１０の開口部よりも若干小さい形状となっている。チョーク構造５１は、金属板５０の外周部の金属板を４回、９０°ずつ折り曲げることにより形成される。すなわち、１回目の折り曲げは扉部正面カバー１０の方向へ９０°曲げられ、つづく２回目の折り曲げは上側に９０°曲げられ、つづく３回目の折り曲げは扉部正面カバー１０の反対方向へ９０°曲げられ、つづく４回目の折り曲げは下側に９０°曲げられることにより形成されている。
【００２２】
１回目の折り曲げ部と２回目の折り曲げ部との間の面がチョーク第一面５１ａ、２回目の折り曲げ部と３回目の折り曲げ部との間の面がチョーク第二面５１ｂ、３回目の折り曲げ部と４回目の折り曲げ部との間の面がチョーク第三面５１ｃ、及び４回目の折り曲げ部から先の面がチョーク第四面５１ｄとすると、チョーク第四面５１ｄからチョーク第三面５１ｃの一部にかけてスリット（図示せず）が切り欠いて形成され、このスリットがチョーク長手方向に対して周期的に配置されている。
【００２３】
金属板５０の略中央部には、略直方体の凹部５２が形成されており、この凹部５２の加熱室４と対向する面には、加熱室４の内部が視認できるように複数の貫通穴が形成されている。また、凹部５２には、凹部５２を覆うように内側ガラス５３が設けられている。
【００２４】
金属板５０のチョーク第二面５１ｂには、周期的に抜き穴５４が複数形成されている。一方、扉部正面カバー１０の裏面側には、抜き穴５４と整合するする位置に、内部がネジ穴加工された支柱５５が一体成型されている。金属板５０は、抜き穴５４にネジ５６を貫通させて支柱５５のネジ穴でネジ止めすることにより、扉部正面カバー１０の裏面側に設けられている。また、扉部正面カバー１０の裏面側には、金属板５０の上部及び両側部に設けられているチョーク第二面５１ｂと対向する位置に、リブ５７が形成されている。つまり、リブ５７は、本体２側から見ると下側に開口した略コの字形状に形成されている。扉部正面カバー１０の裏面側に金属板５０が設けられている状態では、チョーク第二面５１ｂとリブ５７の縁部とは密着した状態となっている。また、金属板５０の両側部５０に設けられているチョーク第二面５１ｂと対向する位置のリブ５７の下端は、基板カバー側部の折り曲げ部と密着する構成となっている。
【００２５】
扉部裏面カバー６０は、略直方体の形状をしており、略中央部には金属板５０の外周部の形状と同形状の、金属板５０の外周部よりもわずかに大きな開口部６１が設けられている。扉部裏面カバー６０の正面側には、扉部正面カバー１０の開口部の形状と同形状の、扉部正面カバー１０の開口部よりもわずかに小さな凸部６２が設けられている。この凸部６２が扉部正面カバー１０の開口部に嵌り合うことにより、扉部裏面カバー６０はチョーク構造５１を挟み込むように扉部正面カバー１０に設けられている。また、金属板５０の外周部と開口部６１との隙間には、パッキン６３が設けられており、加熱室４で加熱される食品から発生する水蒸気が扉部３内に入ることを防止している。
【００２６】
図４は図３におけるＺ部拡大図である。図３及び図４を用いて、本実施形態１における加熱調理器１の扉部３内の空気流れについて説明する。冷却用ファン３３が駆動されると、加熱調理器１の外部の空気は、吸気口１３から扉部３内へ吸い込まれる（図３及び図４に矢印で示す空気流れＡ）。基板カバー３５の側縁部は、基板３１及び放熱板３４の側部を覆うように扉部正面カバー１０側に略９０°折り曲げられた形状をしており、この折り曲げ部は扉部正面カバー１０の裏面に密着している。このため、扉部３内へ吸い込まれた空気は３つの経路（図３及び図４矢印で示す空気流れＢ，Ｃ及びＤ）を通り、基板３１、放熱板３４及び基板カバー３５の上方で合流することとなる（図３及び図４に矢印で示す空気流れＥ）。
【００２７】
空気流れＢは、扉部正面カバー１０と基板３１との間に形成された空間を流れる空気流れである。この空気流れＢは、基板３１の表面及び基板３１上に備えられた基板３１、操作スイッチ、マイコン及び表示部３２等を冷却する。空気流れＣは、基板３１と放熱板３４との間に形成された空間を流れる空気流れであり、基板３１の裏面を冷却する。また、基板３１と放熱板３４との間に形成された空間は、高温となっている加熱室４内の熱が基板３１に伝達するのを防止する空気断熱層の機能を有している。空気流れＤは、放熱板３４と基板カバー３５との間に形成された空間を流れる空気流れである。放熱板３４と基板カバー３５との間に形成された空間もまた、高温となっている加熱室４内の熱が基板３１に伝達するのを防止する空気断熱層の機能を有している。また、空気流れＣ及び空気流れＤの間に配置されている放熱板３４の放熱効果により、基板３１の冷却効果が促進される。
【００２８】
空気流れＥは、下部リブ１６ｃと基板カバー第四面３８ｄとの間を通って、外側ガラス１９と金属板５０との間を流れる（図３及び図４に矢印で示す空気流れＦ）。空気流れＦは、上部リブ１６ａとガイド１４との間を通り、排気口１２より吹き出される（図３及び図４に矢印で示す空気流れＧ）。排気口１２より吹き出された空気は、扉部正面カバー１０と取っ手１１との間を通り、一方は取っ手１１の上方に流れる（図３及び図４に矢印で示す空気流れＨ）。また、他方は取っ手１１の下方に流れる（図３及び図４に矢印で示す空気流れＩ）。
【００２９】
なお、金属板５０の上部及び両側部に設けられているチョーク第二面５１ｂと、これらと対向する位置に設けられたリブ５７の縁部とは密着しているので、空気流れＦは扉部３の周縁部に流れることなく、空気流れＧ，Ｈ及びＩとして扉部３の外部に吹き出される。また、ユーザーが触れることの覆い扉部３の周縁部が高温となることを防止できるので、安全である。なお、排気口１２より吹き出される空気流れは、例えば空気流れＧの一方だけとする構成としてもよい。
【００３０】
本実施形態１では、冷却用ファン３３を駆動させることによって扉部３内に設けられた基板３１等を冷却したが、冷却用ファン３３を用いなくても本発明を実施することは可能である。つまり、加熱室４が高温になると、扉部３内の空気が熱せられ、扉部内の下方から上方へと流れる自然対流が発生する（図３及び図４に矢印で示す空気流れＦ）。このため、加熱調理器１の外部の空気は、吸気口１３から扉部３内へ吸い込まれる（図３及び図４に矢印で示す空気流れＡ）。したがって、上述の扉３内の空気流れ（空気流れＡ〜Ｉ）が発生し、扉部３内に設けられた基板３１等を冷却することができる。
【００３１】
このように構成された加熱調理器１においては、扉部３に吸気口１３及び排気口１２を備えたので、吸気口１３から流入して排気口１２から流出する扉部３の内部に形成された空間内の自然対流等の空気流れ（空気流れＡ〜Ｉ）によって、扉部３の内部に配置された基板３１、操作スイッチ、マイコン及び表示部３２等を冷却することができる。また、この空気流れによって、扉部３内に入ってきた水蒸気を扉部外へ排出することができる。このため、扉部３に設けられた基板３１、操作スイッチ、マイコン及び表示部３２等の破損を防止するために断熱構造等で密封する必要がなくなり、扉部３を薄くすることができる。したがって、製品自体として小型化された加熱調理器１を得ることができる。
【００３２】
排気口１２を扉部正面カバー１０の正面上部側、つまり扉部３の正面上部側に設けたので、排気口１２を扉部３の上面に設けた場合と比べ、扉部３内への塵埃等の侵入を防止することができる。
【００３３】
排気口１２の上部にガイド１４を設けたので、空気流れＦを効率良く排気口１２へ導くことが可能となる。このため、扉部３内の空気流れの風路抵抗が低減され、効率良く扉部３内に設けられた基板３１、操作スイッチ、マイコン及び表示部３２等を冷却することができる。したがって、扉部３をさらに薄くすることができ、製品自体としてさらに小型化された加熱調理器１を得ることができる。
【００３４】
排気口１２の開口面積を吸気口１３の開口面積よりも大きい構成としたので、扉部３内の空気流れの風路抵抗を低減することが可能となる。このため、効率良く扉部３内に設けられた基板３１、操作スイッチ、マイコン及び表示部３２等を冷却することができる。したがって、扉部３をさらに薄くすることができ、製品自体としてさらに小型化された加熱調理器１を得ることができる。
【００３５】
基板３１の下方に冷却用ファン３３を設けたので、強制対流によって効率良く扉部３内に設けられた基板３１、操作スイッチ、マイコン及び表示部３２等を冷却することができる。したがって、扉部３をさらに薄くすることができ、製品自体としてさらに小型化された加熱調理器１を得ることができる。
【００３６】
基板３１の上方に、基板３１の上側カバーとなる下部リブ１６ｃを設けたので、扉部３内に塵埃等が侵入した場合でも、この塵埃等が基板３１に付着することを防止することができる。
【００３７】
また、下部リブ１６ｃの縁部は下側に突出した形状となっているので、扉部３内に塵埃等が侵入した場合でも、この塵埃等が基板３１に付着することをさらに防止することができる。
【００３８】
実施形態２．
図５は、本実施形態２における加熱調理器１の扉部３の側面断面模式図である。なお、本実施形態２において、特に記述しない項目については実施形態１と同様とし、同一機能については同一の符号を用いて述べることとする。リブ１６ａ，１６ｂ及び１６ｃで形成される空間を覆うように、板部材３９が設けられている。本実施形態２では板部材として、例えばガラスを用いている。この板部材３９が設けられることにより、板部材３９と金属板５０との間に空気流れＦの風路が形成される。また、リブ１６、外側ガラス１９及び板部材３９により閉じられた空間が形成される。
【００３９】
このように構成された加熱調理器１においては、板部材３９と金属板５０との間に空気流れＦの風路が形成されため、リブ１６に囲まれた空間を空気流れＦが通ることはない。このため、扉部３内の空気流れの風路抵抗が低減され、効率良く扉部３内に設けられた基板３１、操作スイッチ、マイコン及び表示部３２等を冷却することができる。したがって、扉部３をさらに薄くすることができ、製品自体としてさらに小型化された加熱調理器１を得ることができる。
【００４０】
表面が加熱調理器１外部の空気と接触している外側ガラス１９は、加熱室４内の熱により加熱された空気流れＦに比べて低温となっている。このため、空気流れＦが外側ガラス１９に接触すると、熱が奪われることとなる。したがって、加熱室４内の熱は、空気流れＦ及び外側ガラス１９を介して加熱調理器１の外部に放熱されることとなる。しかし、リブ１６、外側ガラス１９及び板部材３９により閉じられた空間が形成されているので、この空間が空気断熱層として機能し、加熱室４内の熱が加熱調理器１の外部に放熱されることを防止することができる。
【図面の簡単な説明】
【００４１】
【図１】この発明の実施形態１における加熱調理器１の正面図である。
【図２】この発明の実施形態１における加熱調理器１の側面断面模式図である。
【図３】この発明の実施形態１における加熱調理器１の扉部３の側面断面模式図である。
【図４】図３におけるＺ部拡大図である。
【図５】この発明の実施形態２における加熱調理器１の扉部３の側面断面模式図である。
【符号の説明】
【００４２】
１  加熱調理器、２  本体、３  扉部、４  加熱室、５  ヒータ、６  マグネトロン、１０  扉部正面カバー、１１  取っ手、１２  排気口、１３  吸気口、１４  ガイド、１５  開口部、１６  リブ、１６ａ  上部リブ、１６ｂ  側部リブ、１６ｃ  下部リブ、１７  凸部、１８  開口部、１９  外側ガラス、２０  係止部、２１  金属カバー、２２  操作パネル、２２ａ  調理モード選択キー、２２ｂ  時間・温度調整つまみ、２２ｃ  スタートキー、２２ｄ  取消キー、３１  基板、３２  表示部、３３  冷却用ファン、３４  放熱板、３５  基板カバー、３６  リブ、３７  リブ、３７ａ  上部リブ、３７ｂ  側部リブ、３７ｃ  下部リブ、３８  基板カバー、３８ａ  基板カバー第一面、３８ｂ  基板カバー第二面、３８ｃ  基板カバー第三面、３８ｄ  基板カバー第四面、３９  板部材、５０  金属板、５１  チョーク構造、５１ａ  チョーク第一面、５１ｂ  チョーク第二面、５１ｃ  チョーク第三面、５１ｄ  チョーク第四面、５２  凹部、５３  内側ガラス、５４  抜き穴、５５  支柱、５６  ネジ、５７  リブ、６０  扉部裏面カバー、６１  開口部、６２  凸部、６３  パッキン。
【図１】
2008286470.tif 000003
【図２】
2008286470.tif 000004
【図３】
2008286470.tif 000005
【図４】
2008286470.tif 000006
【図５】
2008286470.tif 000007